【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
血液試料を吸引するための吸引管を備え、当該吸引管を用いて、試料容器に収容された血液試料を吸引する試料吸引部と、
前記試料吸引部により吸引された血液試料および試薬から測定試料を調製する試料調製部と、
前記試料調製部により調製された測定試料を測定する測定部と、
血液試料に関する測定項目として、一のグループに属する複数の測定項目、及び、前記一のグループに属さない他の測定項目のうち、少なくとも一つの指示を受け付ける情報処理部と、
を備え、
前記情報処理部は、
前記血液試料に関する測定項目として、前記一のグループに属する１又は複数の測定項目の指示のみを受け付けた場合には、第１の量の血液試料を吸引し、吸引された血液試料を前記試料調製部へ供給すべく、前記試料吸引部を制御し、
前記血液試料に関する測定項目として、前記一のグループに属する測定項目及び前記他の測定項目の指示を受け付けた場合には、前記一のグループに属する測定項目の測定用に前記第１の量の血液試料を吸引し、吸引された血液試料を前記試料調製部へ供給する第１試料供給動作と、前記他の測定項目の測定用に第２の量の血液試料を吸引し、吸引された血液試料を前記試料調製部へ供給する第２試料供給動作とを実行させるべく、前記試料吸引部を制御するように構成されている、
血球分析装置。
【請求項２】
前記試料調製部は、血液試料を希釈液で希釈することにより測定試料を調製し、
前記試料吸引部は、前記希釈液を前記吸引管に予め充填し前記吸引管の先端側に空気層が形成された状態で、前記試料容器から血液試料を吸引するように構成されている、
請求項１に記載の血球分析装置。
【請求項３】
前記一のグループは、全血算測定項目、白血球を複数のグループに分類するための白血球分類項目、網赤血球に関する測定項目、有核赤血球に関する測定項目、幼若血液細胞に関する測定項目、又は異常リンパ球に関する測定項目を含む、
請求項１又は２に記載の血球分析装置。
【請求項４】
前記他の測定項目は、造血前駆細胞、マラリア原虫、又はＣ反応性蛋白に関する測定項目である、
請求項１乃至３の何れか１項に記載の血球分析装置。
【請求項５】
前記第１の量は、前記一のグループに属する全ての測定項目の測定に必要な血液試料の量である、
請求項１乃至４の何れか１項に記載の血球分析装置。
【請求項６】
前記情報処理部は、血液試料の測定に利用される測定プログラムが記憶された記憶部と、前記記憶部に記憶された前記測定プログラムを実行するプロセッサーと、を含み、
前記他の測定項目は、前記記憶部に記憶された前記測定プログラムのバージョンアップにより追加される測定項目である、
請求項１乃至５の何れか１項に記載の血球分析装置。
【請求項７】
前記情報処理部は、
前記血液試料に関する測定項目として、前記一のグループに属する第１測定項目および第２測定項目の指示を受け付けた場合には、前記吸引管に吸引された前記第１の量の血液試料のうち、前記吸引管の先端側の第１の領域に含まれる血液試料を前記第１測定項目の測定に用いるために前記試料調製部に供給し、前記吸引管の基端側の第２の領域に含まれる血液試料を前記第２測定項目の測定に用いるために前記試料調製部に供給するように前記試料吸引部を制御し、
前記血液試料に関する測定項目として、前記第１測定項目の指示を受け付けず、前記第２測定項目の指示を受け付けた場合には、前記吸引管に吸引された前記第１の量の血液試料のうち、前記第２の領域に含まれる血液試料を前記第２測定項目の測定に用いるために前記試料調製部に供給するように前記試料吸引部を制御する、
請求項１乃至６の何れか１項に記載の血球分析装置。
【請求項８】
前記情報処理部は、前記血液試料に関する測定項目として前記他の測定項目の指示を受け付けた場合には、
吸引された前記第２の量の血液試料を複数に分割するように前記試料吸引部を制御し、
前記試料吸引部により分割された血液試料のそれぞれと試薬とから複数の測定試料を調製するように前記試料調製部を制御し、
前記試料調製部により調製された前記複数の測定試料のそれぞれを測定するように前記測定部を制御し、
前記測定部により得られた前記複数の測定試料のそれぞれについての測定データに基づいて、前記他の測定項目についての測定結果を生成するように構成されている、
請求項１乃至７の何れか１項に記載の血球分析装置。
【請求項９】
表示部をさらに備え、
前記情報処理部は、前記血液試料に関する測定項目として、前記一のグループに属する測定項目及び前記他の測定項目の指示を受け付けた場合には、前記一のグループに属する測定項目についての測定結果および前記他の測定項目についての測定結果を、同一画面上に表示するように前記表示部を制御すべく構成されている、
請求項１乃至８の何れか１項に記載の血球分析装置。
【請求項１０】
血液試料に関する測定項目の指示を受け付けるステップと、
受け付けられた測定項目に基づいて、試料容器に収容された血液試料を吸引管を用いて吸引し、吸引された血液試料を、測定に使用される測定試料を調整するための試料調製部へ供給するステップと、
試料調製部に供給された血液試料および試薬から測定試料を調製するステップと、
調製された測定試料を測定するステップと、
を有し、
前記測定項目の指示を受け付けるステップでは、一のグループに属する複数の測定項目、及び、前記一のグループに属さない他の測定項目のうち、少なくとも一つの測定項目の指示を受け付け、
前記血液試料を吸引するステップは、
前記血液試料に関する測定項目として、前記一のグループに属する１又は複数の測定項目の指示のみが受け付けられた場合には、第１の量の血液試料を吸引し、吸引された血液試料を前記試料調製部へ供給する試料供給動作を実行し、
前記血液試料に関する測定項目として、前記一のグループに属する測定項目及び前記他の測定項目の指示が受け付けられた場合には、前記一のグループに属する測定項目の測定用に前記第１の量の血液試料を吸引し、吸引された血液試料を前記試料調製部へ供給する第１試料供給動作と、前記他の測定項目の測定用に第２の量の血液試料を吸引し、吸引された血液試料を前記試料調製部へ供給する第２試料供給動作とを実行する、
血球分析方法。
【請求項１１】
試料容器に収容された血液試料を吸引管を用いて吸引する試料吸引部、前記試料吸引部により吸引された血液試料および試薬から測定試料を調製する試料調製部、及び前記試料調製部により調製された測定試料を測定する測定部に接続されたコンピュータを、
一の血液試料に関する測定項目の指示を受け付ける手段、及び
受け付けられた測定項目に基づいて、前記試料容器内の血液試料を吸引するよう前記試料吸引部を制御する手段、として機能させるためのコンピュータプログラムであって、
前記試料吸引部を制御する手段は、
前記血液試料に関する測定項目として、前記一のグループに属する１又は複数の測定項目の指示のみが受け付けられた場合には、第１の量の血液試料を吸引し、吸引された血液試料を前記試料調製部へ供給する試料供給動作を実行するよう前記試料吸引部を制御し、
前記血液試料に関する測定項目として、前記一のグループに属する測定項目及び前記他の測定項目の指示が受け付けられた場合には、前記一のグループに属する測定項目の測定用に前記第１の量の血液試料を吸引し、吸引された血液試料を前記試料調製部へ供給する第１試料供給動作と、前記他の測定項目の測定用に第２の量の血液試料を吸引し、吸引された血液試料を前記試料調製部へ供給する第２試料供給動作とを実行するよう前記試料吸引部を制御する、
コンピュータプログラム。
【請求項１２】
第１測定モード、及び、前記第１測定モードで測定される測定項目に加えて他の測定項目を測定する第２測定モードを有する血球分析装置であって、
血液試料を吸引するための吸引管を備え、当該吸引管を用いて、試料容器に収容された血液試料を吸引する試料吸引部と、
前記試料吸引部により吸引された血液試料および試薬から測定試料を調製する試料調製部と、
前記試料調製部により調製された測定試料を測定する測定部と、
血液試料に関する測定項目の指示を受け付ける情報処理部と、
を備え、
前記情報処理部は、
前記第１測定モードにおいては、複数の測定項目を有するグループから選択された１又は複数の測定項目の測定用に第１の量の血液を吸引し、吸引された血液試料を前記試料調製部へ供給すべく、前記試料吸引部を制御し、
前記第２測定モードにおいては、前記グループに含まれる測定項目の測定用に前記第１の量の血液を吸引し、吸引された血液試料を前記試料調製部へ供給する第１試料供給動作と、前記グループに属さない他の測定項目の測定用に第２の量の血液を吸引し、吸引された血液試料を前記試料調製部へ供給する第２試料供給動作とを実行させるべく、前記試料吸引部を制御するように構成されている、
血球分析装置。
【手続補正２】
【補正対象書類名】明細書
【補正対象項目名】００１６
【補正方法】変更
【補正の内容】
【００１６】
前記他の測定項目は、造血前駆細胞、マラリア原虫、又はＣ反応性蛋白に関する測定項目であってもよい。